(57)【要約】      （修正有）【課題】家庭で容易に必要量の赤飯を炊く事ができる赤飯材料の１回炊飯分詰め合わせセットを提供。【解決手段】赤飯材料のもち米とあずきを１回炊飯分に詰合せてセットする。【選択図】図１
0003114289.tif 000002
【実用新案登録請求の範囲】
【請求項１】
赤飯材料の１回炊飯分詰合せセット
【考案の詳細な説明】
【技術分野】
【０００１】この考案は、家庭で随時、赤飯を炊くための材料に関するものである。
【背景技術】
【０００２】赤飯の材料とは、もち米とあずきである。
従来の販売方法は、もち米は１ｋｇ（約７合）以上、あずきは３００ｇ（約２合）である。赤飯専用というのは無く、別々に買い求めていた。
本考案の類似品として、すでに販売されているものは、ゆでたあずきとゆで汁ともち米がセットされた半製品であり、本考案とは基本的に違うものである。
赤飯を炊くことは、本格的には蒸し器を使って、ある程度、技術を要する料理であるが、家庭では、炊飯器を使用して簡単に炊くことができる。
【考案の開示】
【考案が解決しようとする課題】
【０００３】家庭で赤飯を炊く場合、１回の炊飯量（約４人分）の目安は、もち米３合とあずき０．５合あればよい。慶事などで赤飯を炊きたい場合でも、材料が手軽に入手しにくいことと、買っても残って無駄がでる。しかし、もち米３合とあずき０．５合では買いにくいというのが実状である。その結果、赤飯を炊くのは難しいこととなり、主婦が家庭で炊くものから、市販の完成品を買うものになってしまった。
【課題を解決するための手段】
【０００４】赤飯材料のもち米とあずきを１回炊飯分に詰合せてセットする。
【考案の効果】
【０００５】この考案によって、いつでも、誰でも、初めての人でも、必要に応じて手軽に赤飯を炊くことが可能になる。従来のように、もち米とあずきが中途半端に残って使い道に困ることもなく、無駄なく、経済的である。半製品ではなく原材料だけなので、添加物の心配や賞味期限に神経質になることもない。家庭で母親が手作りすることで、家族は喜び、市販品では味わうことのできない炊きたての赤飯を楽しめるようになる。慶事、誕生日、プレゼントなど随時、赤飯を炊くようになることで、小売店の売上は増加し、もち米とあずきの消費量が飛躍的に伸びることが予想されることから、農業の活性化と経済効果が期待できる。
【考案を実施するための最良の形態】
【０００６】赤飯標準４人分として、中味のよく見えるしっかりとした１０号透明袋にもち米３合（正味４７０ｇ）をそのまま入れ、その上からあずき０．５合（約７０ｇ）入の透明小袋をプラスする。袋の中には必要最小限のものしか入れず、口を巾着状に結ぶなどして止める。
もち米の乳白色とあずきの赤紫色のコントラストが美しいので、一見してメーカー工場製品のように表装やデザインに凝るのではなく、単純にひとつひとつ手作業で詰合せた材料そのものを、手のひらにのせて、見て、触って確かめられるような、まるくで、やさしい素朴な感じが良い。そのため、素材は良質なものを選び、特にあずきは、小粒のササゲではなく見た目の良い大粒の大納言が好ましい。価格帯は５００円相当で年によって多少変わる。簡単な作り方を説明したパンフレットを豊富に用意して、自由に持ち帰りできるように配備し、ＰＯＰなどもあればよい。
作り方
▲１▼  もち米は洗ってザルで水切りする
▲２▼  あずきと水を火にかけ２、３分ゆでて、この水は捨てる。
▲３▼  再び、あずきと水（３カップ）を中火でやや固めにゆでてそのままさます。
0003114289.tif 000003
▲１▼のもち米を最低１時間以上浸し、炊飯器のスイッチを入れる。
▲５▼  スイッチが切れたら、おしゃもじでふっくらとほぐして出来上がり。
【実施例】
【０００７】本考案者は、小米穀店の専従者であるが、本考案を、卒業入学の行事に合わせて試験的に販売したところ、例年に比べ、もち米とあずきの売上が数十倍となって、反響の大きさに驚いた。年齢に関係なく、初めて赤飯を炊いた人が多く、簡単でおいしく炊けたことを感謝された。リピーターや友人などへと、２つ３つと買う人が現われた。商環境のまことに厳しい昨今の米穀関係者にとって朗報である。
【図面の簡単な説明】
【０００８】
【図１】本考案の形態を示した平面図である。
【符号の説明】
【０００９】１  もち米３合
２  あずき０．５合
【図１】
0003114289.tif 000004
【手続補正書】
【提出日】平成17年7月7日(2005.7.7)
【手続補正１】
【補正対象書類名】実用新案登録請求の範囲
【補正対象項目名】全文
【補正方法】変更
【補正の内容】
【実用新案登録請求の範囲】
【請求項１】
袋にもち米３合とあずき０．５合とを収容した赤飯材料の１回炊飯分詰合せセット。
【手続補正２】
【補正対象書類名】明細書
【補正対象項目名】全文
【補正方法】変更
【補正の内容】
【考案の詳細な説明】
【技術分野】
【０００１】
この考案は、家庭で随時、赤飯を炊くための赤飯材料の１回炊飯分詰合せセットに関するものである。
【背景技術】
【０００２】
赤飯の材料とは、もち米とあずきである。従来の販売の単位は、もち米は１ｋｇ（約７合）以上、あずきは３００ｇ（約２合）である。赤飯専用というのは無く、これらを別々に買い求めていた。
【０００３】
赤飯を炊くことは、本格的には蒸し器を使って、ある程度、技術を要する料理であるが、家庭では炊飯器を使用して簡単に炊くことができる。
【考案の開示】
【考案が解決しようとする課題】
【０００４】
家庭で赤飯を炊く場合、１回の炊飯量（約４人分）の目安は、もち米３合とあずき０．５合あればよい。しかしながら、現実には、もち米およびあずきとも、上記のような単位で販売されているため、慶事など赤飯を炊きたい場合でも、材料が手軽に入手しにくいため、家庭で赤飯を炊くことができず、赤飯が食べたければ、市販の完成品を買わざるを得ないという問題があった。
【０００５】
この考案は上記のような問題に鑑みてなされたもので、家庭で容易に必要量の赤飯を炊くことができる赤飯材料の１回炊飯分詰合せセットを提供することを目的とする。
【課題を解決するための手段】
【０００６】
この考案の赤飯材料の１回炊飯分詰合せセットは、袋にもち米３合とあずき０．５合とを収容したものである。
【考案の効果】
【０００７】
本考案によれば、袋にもち米３合とあずき０．５合とを収容したことにより、袋の中味を炊飯器に入れて炊飯すれば、家庭で、誰でも、初めての人でも、必要に応じて手軽に赤飯を炊くことが可能になる。従来のように、もち米とあずきとが中途半端に残って使い道に困るということもなく、無駄なく、経済的である。赤飯の半製品ではなく、原材料だけなので、添加物の心配や、賞味期限に神経質になることもない。家庭で母親が赤飯を手作りすることで、家族は喜び、市販品では味わうことのできない炊きたての赤飯を楽しめるようになる。慶事、誕生日、プレゼントなど随時、赤飯を炊くようになることで、小売店の売り上げは増加し、もち米とあずきの消費量が飛躍的に伸びることが予想されることから、農業の活性化と経済効果が期待できる。
【考案を実施するための最良の形態】
【０００８】
図１は、本考案の一実施形態に係る赤飯材料の１回炊飯分詰合せセットを示す図である。図１を参照して、赤飯材料の１回炊飯分詰合せセットは、赤飯標準４人分として、中味のよく見えるしっかりとした１０号透明袋にもち米１を３合（正味４７０ｇ）そのまま入れ、その上からあずき２を０．５号（約７０ｇ）入れた透明小袋を加える。袋の中には必要最小限のものしか入れず、もち米１とあずき２の入った小袋とを入れた透明袋の口を巾着状に結ぶなどして止める。
【０００９】
この考案に係る赤飯材料の１回炊飯分詰合せセットは、上記のように透明の袋にもち米１とあずき２とが含まれているため、もち米１の乳白色とあずき２の赤紫色のコントラストが美しく、一見してメーカー工場製品のように表装やデザインに凝るのではなく、単純にひとつひとつ手作業で詰合せた材料そのものを、手のひらにのせて、見て、触って確かめられるような、丸くて、やさしい素朴な感じが良い。
【００１０】
このような赤飯材料セットのためには、素材は、良質なものを選び、特にあずき２は、小粒のササゲではなく、見た目の良い大粒の大納言が好ましい。価格帯は、５００円相当で年によって多少変わる。
【００１１】
赤飯の簡単な作り方を説明したパンフレットを豊富に用意して、自由に持ち帰りができるように配備し、ＰＯＰなどもあればよい。
【００１２】
次に赤飯の作り方を説明する。
（１）もち米１は洗ってザルで水切りする。
（２）あずき２と水を火にかけ２，３分ゆでて、この水は捨てる。
（３）再び、あずき２と水（３カップ）を中火でやや固めにゆでてそのままさます。
（４）あずき２のゆで汁  ４５０ｃｃと、
あずき２と、
塩  小さじ１．５杯（入れなくてもよい）とを加えたものに、
（１）のもち米１を最低１時間以上浸し、炊飯器に入れ、炊飯器のスイッチを入れる。
（５）炊飯器のスイッチが切れたら、おしゃもじでふっくらとほぐして出来上がり。
【図面の簡単な説明】
【００１３】
【図１】赤飯材料の１回炊飯分詰合せセットを示す図である。
【符号の説明】
【００１４】
１  もち米、２  あずき。
【手続補正書】
【提出日】平成17年7月12日(2005.7.12)
【手続補正１】
【補正対象書類名】明細書
【補正対象項目名】０００８
【補正方法】変更
【補正の内容】
【０００８】
図１は、本考案の一実施形態に係る赤飯材料の１回炊飯分詰合せセットを示す図である。図１を参照して、赤飯材料の１回炊飯分詰合せセットは、赤飯標準４人分として、中味のよく見えるしっかりとした１０号透明袋にもち米１を３合（正味４７０ｇ）そのまま入れ、その上からあずき２を０．５合（約７０ｇ）入れた透明小袋を加える。袋の中には必要最小限のものしか入れず、もち米１とあずき２の入った小袋とを入れた透明袋の口を巾着状に結ぶなどして止める。